(57)【要約】【課題】従来の犬の散歩用リードは引っ張り癖のある犬の場合、散歩者が引っ張られて腕、腰を痛めてしまう事がある。また愛犬に引っ張られることで散歩が苦になり散歩を控えてしまう事になり、愛犬にとっても、飼い主にとっても良いことではなく、これらの問題を解決する手段として、多々製品が考案されてきたが、いずれにも問題があり解消されていない。【解決手段】上述の課題を解決する為に本発明の引張犬散歩リードは、ショート・リードに緩衝バネ、を接続してリード・ハンドを装備し、緩衝バネについては伸縮機ストッパーをバネ内部に挿入し、バネとストッパーの伸縮性の相乗効果により、犬の引っ張り力に対して散歩者の負担を軽減する事を特徴としている。【選択図】図１
2011078324.tif 000002
【特許請求の範囲】
【請求項１】
ショート・リード６にストッパー４付の伸縮性緩衝バネ３を接続し、更に伸縮性緩衝バネ３のもう一方の端にリード・ハンド１を設けた引張犬散歩リードにおいて、前記ストッパー４は伸縮性緩衝バネ３の内部に挿入され、伸びた時に伸長限界が有る伸縮機（布カバー付ゴム紐など伸縮性のある紐）ストッパー４であることを特徴とする引張犬散歩リード。
【発明の詳細な説明】
【技術分野】
【０００１】
本発明は、犬との散歩時に於いて、引っ張り癖のある犬の引っ張り力に対する散歩者の負荷を軽減するための犬用の散歩リードで、リード・ハンド、及び伸縮機ストッパー付緩衝バネ、更にはショート・リードで構成されている引張犬散歩リードに関するものである。
【背景技術】
【０００２】
従来、犬散歩用リードは犬との散歩において、散歩者の負担を軽減するために多種考案されてきました。
【０００３】
実用新案  第３０４２４４７号は犬の散歩綱用緩衝具及びこれを使用した散歩用綱であり、伸縮性を有する共に、重量を軽くしてバランスを良くした緩衝具、及び、これを使用することによって犬の動きを容易にコントロールできる犬用の散歩綱を提供することを目的とし、緩衝具は犬の首輪に係止できる係止具とリングに挿通されたゴム紐で構成されていて、緩衝具を使用する散歩綱にあっては連続するする把持部で構成されている。
【０００４】
実用新案  実開平７−２２６５３は犬の引紐で二匹の犬を同時に連行するためのものであり、一本の引紐に係止金具の付いた長さの違う紐を回転金具と共に付けることにより、二匹の犬が一定の行動範囲や距離を保ちながら絡まりあうことなく連行できるものである。また、コイル状バネを付ける事により、犬の力により生じる牽引の衝撃を和らげる
【０００５】
公開特許  特開２０００−２７０７０７はペットの散歩用引綱であり、犬等のペットの散歩中にペットが突如走り出す等、急激で引綱の把手部から手が離れる事のないペットの散歩用引綱とし、引綱の輪状の把手部の内側に、親指を除いた指が挿入できるよう四箇所に指挿入用リングを連接して設けている。
【０００６】
公開特許  特開２００６−１４６４９はペット用リードとしてペットを繋ぐための紐状のリード本体と、リード本体を巻き取るリードと、リールからのリード繰り出し動作を固定するロック機構と、リールからのリード本体の繰り出し動作を固定するロック機構と、リールからのリード本体の繰り出しを一定の拘束力を加えつつ許容するドラック機構と、ロック機構が機能するロック状態と、ドラック機構が機能するドラック状態と、これらの両機構が機能しないフリー状態との切り替えを行う切り替えスイッチを設けている。
【先行技術文献】
【特許文献】
【０００７】
【特許文献１】：実用新案登録  第３０４２４４７号公報
【特許文献２】：実開平７−２２６５３
【特許文献３】：特開２０００−２７０７０７
【特許文献４】：特開２００６−１４６４９
【発明の概要】
【発明が解決しようとする課題】
【０００８】
しかし、上述した実用新案文献  第３０４２４４７号は犬の散歩綱用緩衝具及びこれを使用した散歩用綱は、緩衝具がゴム紐で構成されており強度の面や、耐久性、伸縮の程度、緩衝具の大きさ、重量の面で明確ではなく実用面に欠けている。また犬の引っ張り力がリードの握り部に掛り、散歩者の手に綱が食い込むことになる。
【０００９】
実開平７−２２６５３は犬の引紐は引紐にコイル状のバネを付けて犬の力により生じる牽引の衝撃を和らげる事を目的としているが、使われているコイル状のバネは引っ張られるとバネが収縮するタイプであり、バネが伸びきる事はないが機構上弾力性の低いバネを使用しており緩衝吸収効果が低い。
【００１０】
特開２０００−２７０７０７はペットの散歩用引綱はペットが突如走り出すような行動を起こしても引綱から手が離れないように、引綱の輪状の把手部の内側に、親指を除いた指が挿入できるよう四箇所に指挿入用リング設けているが、散歩時に鉄道踏切や道路で犬が急に飛び出しリードが離れず散歩者が無理やり引きずられて、交通事故に巻き込まれる可能性があり、事実、手にリードを巻きつけて散歩中に鉄道踏み切りに愛犬が突然飛び込み、散歩者が巻き込まれる死亡事故の事例がある。
【００１１】
特開２００６−１４６４９のペット用リードはリール式であり、散歩中に犬の引っ張り力が働いた場合、散歩者は引っ張り負荷を軽減する為にコントロールスイッチによりリードを伸ばして行くが、この場合、田舎の車や歩行者が少ない所では問題がないが、しかし、街中では車道には車が多く走っており、リードが伸びた状態では犬のコントロールが効かず、犬が車道に飛び出し交通事故に合う可能性がある。また歩道においても通行人が多くリードが伸びた状態では犬のコントロールが効かず通行人が驚いて逃げ出し、転んで怪我をした事例がある。
【００１２】
本発明は上述した、犬の散歩綱用緩衝具及びこれを使用した散歩用綱、犬の引紐、ペットの散歩用引綱、ペット用リードにおける問題点に対して、解決することができる引張犬散歩リードを提供することである。
【課題を解決するための手段】
【００１３】
上述の目的を達成する本発明の引張犬散歩リードは、ショート・リードに犬の引っ張り力に対する効果的な緩衝バネを装備し、更にリード・ハンドを装備して、犬との散歩時において犬の引っ張り力に対する、散歩者に掛る負荷を軽減することを目的としている。
【００１４】
犬の散歩綱用緩衝具及びこれを使用した散歩用綱は、緩衝具がゴム紐で構成されており強度の面や、耐久性、伸縮の程度、緩衝具の大きさ、重量の面で明確ではなく実用面に欠けている。
それに対して本発明の引張犬散歩リードにおいては、軽金属製のコンパクトな緩衝バを
使用しているので強度の面や耐久性に優れており、バネの伸縮の幅については緩衝バネの内部にストッパーとして伸びた時に伸長限界がある伸縮機（布カバー付ゴム紐など伸縮性のある紐）を挿入することで、効率的なバネの伸縮幅が得られ、犬の引っ張り力に対しても、緩衝バネの伸び反動と伸縮機の伸び反動の相乗効果により引っ張り犬を引き戻す反発力が生まれ、これらにより散歩歩者に対する負荷を多いに軽減する事ができる。
また犬の散歩綱用緩衝具及びこれを使用した散歩用綱は、犬の引っ張り力がリードの握り部に掛り、散歩者の手に綱が食い込むことになるが、本発明のリード握部にはリード・ハンドを設けることにより手に食い込むことがないので、散歩者に対する引っ張り犬の引っ張り力に対する負荷が大幅に軽減される。
【００１５】
犬の引紐は、引紐にコイル状のバネを付けて犬の力により生じる牽引の衝撃を和らげる事を目的としているが、使われているコイル状のバネは引っ張られるとバネが収縮するタイプであり、バネが伸びきる事はないが構造上、コイルバネ内部に挿入された牽引金具が棒状の針金を使用していることで、緩衝バネが側面からの衝撃で曲がってしまう欠点がある。この為、コイルバネの長さが確保出来ず弾力性の低いバネを使用しており、犬の引っ張り力に対する緩衝吸収効果が低い。
それに対して本発明の引張犬散歩リードにおいては、緩衝バネの内部に伸縮機（布カバー付ゴム紐などの伸縮性のある紐）ストッパーを挿入し、緩衝バネが犬の引っ張り力に対して伸びきらないようにしていて、更に緩衝バネの内部に挿入されたストッパーが紐のため、緩衝バネが側面からの衝撃に対して曲がっても変形する事がないので緩衝バネの長さが確保でき、緩衝バネの伸縮幅が大きく取れ犬の引っ張り力に対する緩衝能力を高めている。
【００１６】
ペットの散歩用引綱においては、犬との散歩時において突如走りだし衝撃で引綱から把手部が手から離れないようにしているが、リードが手から離れない為、交通事故に巻き込まれる危険性が伴う。
それに対し本発明の引張犬散歩リードは、ショート・リードに緩衝バネを介してリード・ハンドを設けていて、リード・ハンドの握り部をパイプを使い、握り易く、又離しやすい製品に仕上げていて安全性を高めている。
【００１７】
ペット用リードはペットの突然の動きなどで生じる強い負荷の発生を抑えることを目的としているが、しかしペット用リードはリール式であり、散歩中に犬の引っ張り力が働いた場合、散歩者は引っ張り負荷を軽減する為にリードを伸ばして行くが、この場合、街中では車道には車が多く走っており、リードが伸びた状態では犬のコントロールが効かず、犬が車道に飛び出し交通事故に合う可能性がある。また歩道においても通行人が多くリードが伸びた状態では犬のコントロールが効かず通行人に圧迫感や恐怖感を与える。
それに対し本発明の引張犬散歩リードは、ショート・リードに緩衝バネ及びリード。ハンドを組み合わせた簡単な構造になっていて通常のリードと長さは変わらず、常に散歩者の近くに犬がいて、引張犬散歩リードにより犬のコントロールが効くので、歩行者に対する圧迫感や恐怖感を与えず、歩行者の安全性を確保ができ、また犬の車道への飛び出しによる事故も回避できる。
【発明の効果】
【００１８】
以上のように本発明の引張犬散歩リードは構成されているので、犬との散歩において、引っ張り犬に引っ張られても、ショート・リードに対して緩衝バネ及びリード・ハンドを設ける事により、散歩者に掛る犬の引っ張り負荷を軽減することができる。
更にリード・ハンドにおいては、犬との散歩中に引っ張り犬が道路や鉄道踏切において急に飛び出すことによって、散歩者の手がリードの持ち部により絞られ手が離れなくなることで、散歩者が事故に巻き込まれる事を防止するためにリード・ハンドを設けることで、引っ張られても手がすぐに離せることで散歩者の身体の安全を確保できるようにしている。
緩衝バネのストッパーについても、リードに取り付けられた緩衝バネに挿入された金属性のストッパーや布製の外付けストッパーの場合、牽引力が働き緩衝バネが伸びきりストッパーが働いた場合に散歩者の手元に不快なショックが伝わるが、本発明の場合、緩衝バネ内部に挿入された伸縮機（布カバー付ゴム紐など伸縮性のある紐）ストッパーは、緩衝バネが伸びきってトッパーが働いても手元に対するショックがないのが、伸縮機ストッパーの特徴になっていている。
更に、犬の引っ張り力により緩衝バネが伸びた場合、緩衝バネ及びストッパーの相乗効反動により犬を引き戻す力が発生し、散歩者の負荷を軽減する。
これらの効果により、全国にいる引っ張り癖犬との散歩で苦労している散歩者も、楽に安全な散歩ができるようになる。
【図面の簡単な説明】
【００１９】
【図１】本発明の実施形態に従った、引張犬散歩リードを示す外観斜視図である。
【図２】本発明の実施形態に従った、引張犬散歩リードを散歩者１００が使用して、引っ張り癖犬２００に引っ張られて散歩をしている状態を示す斜視図である。
【図３】本発明の実施形態に従った、引張犬散歩リードに装備される緩衝バネ３及び緩衝バネ３内部に挿入される伸縮機ストッパー４の斜図である。
【発明を実施するための形態】
【００２０】
以下、本発明の実施形態を図に基づいて説明する。
【００２１】
図１は、この発明の実施形態に従った引張犬散歩リードを示す斜視図である。
【００２２】
図１に示すように、引張犬散歩リードは、リード・ハンド１先端にある緩衝バネ取り付けフック２に緩衝バネ３が接続され、更に緩衝バネ３のもう一方の端のリード取り付けフック５にショート・リード６を接続する。
【００２３】
図２は、この発明の実施形態に従った引張犬散歩リードを散歩者１００が使用して、犬２００に引っ張られて散歩している状態を示す斜視図である。
【００２４】
図１に示す引張犬散歩リードにおいて、散歩者１００が引っ張り癖のある犬２００と散歩する際は、引張犬散歩リードを散歩者１００が手に持ち、ショート・リード６先端にあるリード・フック７によりショート・リード６を犬２００の首輪に接続して引っ張り犬２００との散歩を行う。
【００２５】
図３に示す緩衝バネ３は、犬２００の引っ張り力が掛っても破損しないように、緩衝バ
ネ３内部に伸びた時に伸長限界がある伸縮機（布カバー付ゴム紐など伸縮性のある紐）ストッパー４を挿入し、緩衝バネ３が伸びきる前に伸縮機ストッパー４が伸びきりストッパーとしての役目を効果的に行っているが、緩衝バネ３として最良の効果を発揮するためには、緩衝バネ３の伸縮強度、太さ、長さ、及び伸縮機ストッパー４の太さ、伸縮度については、最適なものを選択しなければならない。
また緩衝バネ３が伸びた際に発生する反発力と、伸縮機ストッパー４の反発力の相乗効果において引っ張り犬２００の引っ張り力を引き戻す効果も生み出している
更に他の緩衝バネ・ストッパー４においては、緩衝バネ３が伸びてストッパー４に当たる時に反動が手に伝わり、不快な感覚があるために散歩者に負担を感じさせるが、それに対し緩衝バネ３内部に挿入された伸縮機ストッパー４は、ストッパー４が当たっても反動が感じられず、散歩者１００の不快感を取り除いている事を特徴としている。
【実施例】
【００２６】
過去にいくつもの引っ張り癖犬用散歩リードが考案されているが、いずれにしても多様な問題点があり一般に普及している製品が数少ない。
【産業上の利用可能性】
【００２７】
ペットブームという中で引っ張り癖のある犬を飼っている家庭は全国に多数いる。
中でも犬に引っ張られての散歩が余りにも大変という理由で、散歩に困っている方に多いに普及する可能性がある。
また負担が有るために飼い主が犬を捨てしまう事もあり、捨て犬対策の一環としても貢献する可能性もある。
構造が簡単なため製作費が安く低価格で市場に提供できる事からも普及する可能性は多いにある。
【符号の説明】
【００２８】
１          リード・ハンド
２          緩衝バネ取付フック
３          伸縮性緩衝バネ
４          伸縮機ストッパー    
５          リード取付けフック
６          ショート・リード
７          リード・フック
１００          散歩者
２００          犬    
【図１】
2011078324.tif 000003
【図２】
2011078324.tif 000004
【図３】
2011078324.tif 000005
【手続補正書】
【提出日】平成22年1月22日(2010.1.22)
【手続補正１】
【補正対象書類名】特許請求の範囲
【補正対象項目名】請求項１
【補正方法】変更
【補正の内容】
【請求項１】
ショート・リード６にストッパー４付の伸縮性緩衝バネ３を接続し、更に伸縮性緩衝バネ３のもう一方の端にリード・ハンド１を設けた引っ張り犬散歩リードにおいて、前記ストッパー４は伸縮性緩衝バネ３の内部に挿入され、布カバー付きゴム紐など伸縮性のある紐からなる伸びた時に伸縮限界が有る伸縮機ストッパー４であることを特徴とする引張犬散歩リード。